(57)【特許請求の範囲】
【請求項１】
水栓本体と、
前記水栓本体を操作する操作装置と、を備え、
前記操作装置は、
操作装置本体と、
前記水栓本体の第１吐出口から水が吐出している状態と、前記第１吐出口から水が吐出していない状態を切り替えるための第１吐出操作部と、
前記水栓本体の第２吐出口から水が吐出している状態と、前記第２吐出口から水が吐出していない状態を切り替えるための第２吐出操作部と、
前記水栓本体の前記第１吐出口および第２吐出口から吐出される水の温度を調節するための温度調節操作部と、を含み、
前記第１吐出操作部および前記第２吐出操作部は、前記操作装置本体の前面に設けられ、
前記温度調節操作部は、前記操作装置本体の側面に設けられ、前記第１吐出操作部および前記第２吐出操作部よりも後方に位置し、側面視において、前記操作装置本体の側面の外縁よりも内側に位置することを特徴とする水栓装置。
【請求項２】
前記温度調節操作部は、前記操作装置本体の前端部よりも後端部の近くに位置することを特徴とする請求項１に記載の水栓装置。
【請求項３】
請求項１または２に記載の水栓装置と、
浴槽と、を備える浴室ユニットであって、
前記水栓装置の前記温度調節操作部は、前記操作装置本体の両側面のうち、前記浴槽から遠い側面に設けられることを特徴とする浴室ユニット。
【発明の詳細な説明】
【技術分野】
【０００１】
本発明は、水栓装置およびそれを備える浴室ユニットに関する。
【背景技術】
【０００２】
混合される冷水と湯水の比率を変化させることによって吐出される水の温度を調節できる水栓装置が知られている。従来では、例えば特許文献１に記載されるような水栓装置が知られている。
【先行技術文献】
【特許文献】
【０００３】
【特許文献１】特開２００４−９２０６８号公報
【発明の概要】
【発明が解決しようとする課題】
【０００４】
特許文献１に記載されるような水栓装置では、吐出される水の温度を調節する操作を受ける温度調節操作部が、ユーザの手が届きやすい位置に設けられている。そのため、不意な動作で意図せず温度調節操作部が操作されて冷水や熱水が吐出され、ユーザが不快な思いをする場合がある。
【０００５】
本発明はこうした状況に鑑みてなされたものであり、その目的は、意図せず温度調節操作部が操作されるのを抑止しうる水栓装置およびそれを備える浴室ユニットを提供することにある。
【課題を解決するための手段】
【０００６】
上記課題を解決するために、本発明のある態様の水栓装置は、水栓本体と、水栓本体を操作する操作装置と、を備える。操作装置は、操作装置本体と、水栓本体の吐出状態を切り替えるための吐出操作部と、水栓本体から吐出される水の温度を調節するための温度調節操作部と、を含む。吐出操作部は、操作装置本体の前面および／または上面に設けられ、温度調節操作部は、操作装置本体の側面に設けられ、操作装置本体の前面よりも後方に位置する。
【０００７】
本発明の別の態様もまた、水栓装置である。この装置は、水栓本体と、水栓本体を操作する操作装置と、を備える。操作装置は、操作装置本体と、水栓本体の吐出状態を切り替えるための吐出操作部と、水栓本体から吐出される水の温度を調節するための温度調節操作部と、を含む。吐出操作部は、操作装置本体の側面以外に設けられ、温度調節操作部は、操作装置本体の側面に設けられ、側面視において、操作装置本体の側面の外縁よりも内側に位置する。
【０００８】
これらの態様によると、温度調節操作部は奥まった位置に配置されるため、不意の動作により、意図せず温度調節操作部が操作されるのを抑止できる。
【０００９】
温度調節操作部は、操作装置本体の前端部よりも後端部の近くに位置してもよい。この場合、不意の動作により、意図せず温度調節操作部が操作されるのをより抑止できる。
【００１０】
本発明のさらに別の態様は、浴室ユニットである。浴室ユニットは、上述のいずれかの態様の水栓装置と、浴槽と、を備える。水栓装置の温度調節操作部は、操作装置本体の両側面のうち、浴槽から遠い側面に設けられる。この場合、浴槽に近い側面に設けられる場合と比べ、意図せず温度調節操作部が操作される可能性を低減できる。
【００１１】
なお、以上の構成要素の任意の組み合わせや、本発明の構成要素や表現を方法、装置、システムなどの間で相互に置換したものもまた、本発明の態様として有効である。
【発明の効果】
【００１２】
本発明によれば、意図せず温度調節操作部が操作されるのを抑止しうる水栓装置およびそれを備える浴室ユニットを提供できる。
【図面の簡単な説明】
【００１３】
【図１】実施の形態に係る浴室ユニットを示す斜視図である。
【図２】図１の水栓装置の構成を示すブロック図である。
【図３】図１の水栓装置を示す斜視図である。
【図４】図１の水栓装置を示す正面図である。
【図５】図１の水栓装置を示す側面図である。
【発明を実施するための形態】
【００１４】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１５】
図１は、実施の形態に係る浴室ユニット１０を示す斜視図である。浴室ユニット１０は、浴槽１２と、洗い場１４と、壁１６と、カウンター１７と、水栓装置１８と、鏡１９と、シャワーフック２０と、スライドバー２１と、シャワーヘッド２２と、シャワーホース２４と、カラン（図１では不図示）と、２つの収納棚２５と、を備える。
【００１６】
浴槽１２は、防水パン（不図示）上に設置される。洗い場１４は、浴槽１２に隣接して設けられる。壁１６は、浴槽１２および洗い場１４を取り囲む。壁１６は、洗い場１４を隔てて浴槽１２と対向する第１壁１６ａと、浴槽１２および洗い場１４を挟んで第１壁１６ａと対向する第２壁１６ｂと、第１壁１６ａの一端側と第２壁１６ｂの一端側とに接続される第３壁１６ｃと、第３壁１６ｃと対向する、浴室ドアが設けられる第４壁（不図示）と、を含む。
【００１７】
カウンター１７は、第３壁１６ｃの洗い場１４側に固定される。カウンター１７は、シャンプーボトル、ボディソープボトル、その他の小物などを置くための物置台として機能する。鏡１９は、縦長に形成され、カウンター１７の上方で第３壁１６ｃに固定される。２つの収納棚２５は、ユーザが立ったときに必要な小物を取り出せる高さで第３壁１６ｃに固定される。
【００１８】
水栓装置１８は、カウンター１７と鏡１９との間において第３壁１６ｃに固定される。水栓装置１８には、一端側にシャワーヘッド２２が設けられたシャワーホース２４とカランとが接続され、これらに水（温水または冷水）を吐出する。シャワーフック２０は、浴槽１２と水栓装置１８との間において第３壁１６ｃに固定される。実施の形態では、シャワーフック２０は、スライドバー２１を介して第３壁１６ｃに固定される。シャワーフック２０にはシャワーヘッド２２が掛止される。
【００１９】
図２は、水栓装置１８の構成を示すブロック図である。水栓装置１８は、水栓本体２８と、水栓本体２８を操作する操作装置３０と、を含む。水栓本体２８は、給水流路３２と、給湯流路３４と、湯水混合部３６と、第１吐出流路３８と、第１流量調節部４０と、第１吐出口４２と、第２吐出流路４４と、第２流量調節部４６と、第２吐出口４８と、を備える。
【００２０】
給水流路３２は、上水道（不図示）に接続され、水（冷水）を湯水混合部３６に供給する。給湯流路３４は、給湯器（不図示）に接続され、給湯器で温められた水（湯水）を湯水混合部３６に供給する。湯水混合部３６は、給水流路３２と給湯流路３４に接続される。湯水混合部３６は、給水流路３２から供給される水（冷水）と給湯流路３４から供給される水（湯水）とを、操作装置３０によって設定された比率で混合する。
【００２１】
第１吐出流路３８は、一端が湯水混合部３６に接続され、他端（第１吐出口４２側）がカラン２６に接続される。第１流量調節部４０は、第１吐出流路３８上に設けられ、例えばパイロット弁を含んで構成される。第１流量調節部４０は、操作装置３０に操作されて、第１吐出流路３８を開閉する。また第１流量調節部４０は、第１吐出流路３８を流れる水の流量を、操作装置３０によって設定された流量に調節する。第１吐出流路３８が開くと、湯水混合部３６で混合された水であって設定された流量の水が第１吐出流路３８を流れ、第１吐出口４２から吐出する。第１吐出口４２から吐出した水は、カラン２６から吐出する。第１吐出流路３８が閉じると、第１吐出流路３８を水が流れなくなり、第１吐出口４２からの水の吐出が止まる。
【００２２】
第２吐出流路４４は、一端が湯水混合部３６に接続され、他端（第２吐出口４８側）がシャワーホース２４に接続される。第２流量調節部４６は第２吐出流路４４上に設けられ、例えばパイロット弁を含んで構成される。第２流量調節部４６は、操作装置３０に操作されて、第２吐出流路４４を開閉する。また第２流量調節部４６は、第２吐出流路４４を流れる水の流量を、操作装置３０によって設定された流量になるよう調節する。第２吐出流路４４が開くと、湯水混合部３６で混合された水であって設定された流量の水が第２吐出流路４４を流れ、第２吐出口４８から吐出する。第２吐出口４８から吐出した水は、シャワーホース２４を流れ、シャワーヘッド２２から吐出する。第２吐出流路４４が閉じると、第２吐出流路４４を水が流れなくなり、第２吐出口４８からの水の吐出が止まる。
【００２３】
操作装置３０は、温度調節操作部５０と、温度調節操作伝達部５２と、第１吐出操作部５４と、第１吐出操作伝達部５６と、第１流量調節操作部５８と、第１流量調節操作伝達部６０と、第２吐出操作部６２と、第２吐出操作伝達部６４と、第２流量調節操作部６６と、第２流量調節操作伝達部６８と、を備える。
【００２４】
温度調節操作部５０は、ユーザから温度調節の操作を受ける。温度調節操作伝達部５２は、温度調節操作部５０が受けた操作を機械的に湯水混合部３６に伝達する。湯水混合部３６は、この操作を受けて動作し、混合される冷水と湯水の比率を変更する。
【００２５】
第１吐出操作部５４は、ユーザから、第１吐出口４２（ひいてはカラン２６）からの吐出開始または吐出終了の操作を受ける。第１吐出操作伝達部５６は、第１吐出操作部５４が受けた操作を機械的に第１流量調節部４０に伝達する。第１流量調節部４０は、この操作を受けて動作し、第１吐出流路３８を開閉する。
【００２６】
第２吐出操作部６２は、ユーザから、第２吐出口４８（ひいてはシャワーヘッド２２）からの吐出開始または吐出終了の操作を受ける。第２吐出操作伝達部６４は、第２吐出操作部６２が受けた操作を機械的に第２流量調節部４６に伝達する。第２流量調節部４６は、この操作を受けて動作し、第２吐出流路４４を開閉する。
【００２７】
第１流量調節操作部５８は、ユーザから、第１吐出口４２（ひいてはカラン２６）から吐出されるべき水の流量調節の操作を受ける。第１流量調節操作伝達部６０は、第１流量調節操作部５８が受けた操作を機械的に第１流量調節部４０に伝達する。第１流量調節部４０は、この操作を受けて動作し、第１吐出口４２から吐出される水の流量が調節される。
【００２８】
第２流量調節操作部６６は、ユーザから、第２吐出口４８（ひいてはシャワーヘッド２２）から吐出されるべき水の流量調節の操作を受ける。第２流量調節操作伝達部６８は、その操作を機械的に第２流量調節部４６に伝達する。第２流量調節部４６は、この操作を受けて動作し、第２吐出口４８から吐出される水の流量が調節される。
【００２９】
図３〜５はそれぞれ、水栓装置１８を示す斜視図、正面図、側面図である。図５では、温度調節操作部５０が設けられる側の側面を示している。
【００３０】
操作装置３０は、筐体７０をさらに含む。水栓本体２８は、実施の形態では、この筐体７０内に収容される。筐体７０は箱状に形成される。筐体７０の上面７０ａは平坦に形成され、カウンター１７と同様に、小物などを置くための物置台として機能する。
【００３１】
第１吐出操作部５４は、筐体７０の前面７０ｂに設けられる。第１吐出操作部５４は、実施の形態では、押しボタン式の操作部である。そのため、水や石鹸がついた手でも操作しやすい。ユーザによって第１吐出操作部５４が押されると、その操作が第１吐出操作伝達部５６を介して第１流量調節部４０に伝達され、第１吐出流路３８が開いて第１吐出口４２から水が吐出される。ユーザによって再度第１吐出操作部５４が押されると、その操作が第１吐出操作伝達部５６を介して第１流量調節部４０に伝達され、第１吐出流路３８が閉じて第１吐出口４２からの水の吐出が止まる。第２吐出操作部６２は、筐体７０の前面７０ｂに、第１吐出操作部５４に隣接して設けられる。第２吐出操作部６２は、第１吐出操作部５４と同様に構成される。
【００３２】
第１流量調節操作部５８は、筐体７０の前面７０ｂであって、第１吐出操作部５４の下方に設けられる。第１流量調節操作部５８は、実施の形態では、直線的（図４では左右方向）にスライドさせるスライド式の操作部である。そのため、例えば回転式の操作部と比べ、水や石鹸がついて手でも操作しやすい。第１流量調節操作部５８を右または左にスライドさせると、その操作が第１流量調節操作伝達部６０を介して第１流量調節部４０に伝達され、第１吐出流路３８を流れる水の流量が変化する。実施の形態では、第１流量調節操作部５８を右にスライドさせると流量が上がり、第１流量調節操作部５８を左にスライドさせると流量が下がるよう構成される。第２流量調節操作部６６は、筐体７０の前面７０ｂであって、第２吐出操作部６２の下方に設けられる。第２流量調節操作部６６は、第１流量調節操作部５８と同様に構成される。
【００３３】
温度調節操作部５０は、筐体７０の側面に設けられる。実施の形態では、温度調節操作部５０は、筐体７０の両側面７０ｃ、７０ｄのうち、浴槽１２およびシャワーフック２０の両方から遠い側（すなわち第１壁１６ａ側）の側面７０ｃに設けられる（図１参照）。温度調節操作部５０は、実施の形態では、軸部（不図示）周りに回転させる回転式の操作部である。温度調節操作部５０を時計周りまたは反時計回りに回転させると、その操作が温度調節操作伝達部５２を介して湯水混合部３６に伝達され、混合される冷水と湯水の比率が変化し、湯水混合部３６から第１吐出流路３８（ひいてはシャワーヘッド２２）あるいは第２吐出流路４４（ひいてはカラン２６）から吐出される水の温度が変化する。実施の形態では、温度調節操作部５０を右に回転させると温度が下がり、左に回転させると温度が上がる。
【００３４】
温度調節操作部５０は、前面７０ｂよりも奥まった位置、すなわち前面７０ｂよりも後方に位置するよう設けられる。温度調節操作部５０は特に、筐体７０の前端部７２（すなわち前面７０ｂの前端部）よりも、後端部７４（すなわち背面７０ｅの後端部）の近くに位置するよう設けられる。なお、温度調節操作部５０は、その全体が、前端部７２よりも後端部７４の近くに位置するよう設けられてもよい。つまり、温度調節操作部５０は、その全体が、前後方向における中央よりも後方に位置するよう設けられてもよい。これらの場合、入浴中の不意の動作により、意図せず温度調節操作部５０が操作されるのを抑止できる。
【００３５】
一方で、温度調節操作部５０が前端部から遠くなりすぎると、温度調節操作部５０に手が届きにくくなり、温度調節操作部５０を操作しづらくなる。したがって、温度調節操作部５０は、前後方向における前端部７２から温度調節操作部５０の中心Ｃまでの距離Ｌ１が１５ｃｍを超えない位置に設けられてもよい。また、温度調節操作部５０は、前後方向における前端部７２から後端部７４までの距離Ｌ２（すなわち前後方向における筐体７０の幅）に対する距離Ｌ１の比が０．７を超えない位置に設けられてもよい。
【００３６】
また、温度調節操作部５０が筐体７０の後端部７４側に寄りすぎ、温度調節操作部５０と壁との距離が近くなりすぎると、温度調節操作部５０をつまみにくくなる。あるいは、温度調節操作部５０をつまめるものの、それを回転させにくくなる。したがって、温度調節操作部５０は、筐体７０の後端部７４と温度調節操作部５０の後端部７６との間に少なくとも子供の指が１本入る程度の隙間ができるよう、別の言い方をすると温度調節操作部５０の後端部７６と筐体７０の後端部７４との距離Ｌ３が１．５ｃｍ以上となるよう設けられてもよい。
【００３７】
また、温度調節操作部５０は、筐体７０の下面７０ｆを超えて下側に突出しないよう設けられる。なお、実施の形態では、温度調節操作部５０はさらに、筐体７０の上面７０ａを超えて上側に突出しないよう設けられている。つまり、温度調節操作部５０は、左右方向から水栓装置１８を見た場合に、筐体７０の側面７０ｃの外縁よりも内側に位置するよう設けられる。
【００３８】
以上説明した実施の形態に係る水栓装置１８によると、温度調節操作部５０は筐体７０の前面７０ｂよりも後方に位置するよう設けられる。温度調節操作部５０は特に、筐体７０の前端部７２よりも後端部７４の近くに位置するよう設けられる。すなわち、温度調節操作部５０は、水栓装置１８を使用するユーザからみて奥まった位置に設けられる。これにより、入浴中の不意の動作により、意図せず温度調節操作部５０が操作されるのを抑止できる。一方で、ユーザの使用頻度の高い各吐出操作部は前面にあるため、ユーザにとって使いやすい。
【００３９】
また、実施の形態に係る水栓装置１８によると、温度調節操作部５０は、操作装置３０の筐体７０の両側面７０ｃ、７０ｄのうち、浴槽１２から遠い側面７０ｃに設けられる。浴槽１２に近い側面７０ｄに設けられる場合は、浴槽１２に入るときや浴槽１２から出るときの不意の動作によって意図せず温度調節操作部５０が操作される可能性があるところ、浴槽１２から遠い側面７０ｃに設けられる場合は、その可能性を低減できる。
【００４０】
また、実施の形態に係る水栓装置１８によると、温度調節操作部５０は、操作装置３０の筐体７０の両側面７０ｃ、７０ｄのうち、シャワーフック２０から遠い側面７０ｃに設けられる。これにより、シャワーフック２０に近い側面７０ｄに設けられる場合に比べ、シャワーヘッド２２をシャワーフック２０から外した状態でシャワーを浴びているときに、シャワーホース２４が温度調節操作部５０と接触することによって意図せず温度調節操作部５０が操作されるのを抑止できる。
【００４１】
また、実施の形態に係る水栓装置１８によると、温度調節操作部５０は筐体７０の下面７０ｆを超えて下側に突出しないよう設けられる。これにより、シャワーヘッド２２をシャワーフック２０から外した状態でシャワーを浴びているときに、シャワーホース２４が温度調節操作部５０と接触することによって意図せず温度調節操作部５０が操作されるのを抑止できる。
【００４２】
以上、実施の形態に係る水栓装置について説明した。この実施の形態は例示であり、その各構成要素の組み合わせにいろいろな変形例が可能なこと、またそうした変形例も本発明の範囲にあることは当業者に理解されるところである。
【００４３】
（変形例１）
実施の形態では、温度調節操作部５０が受けた操作を温度調節操作伝達部５２が湯水混合部３６に機械的に伝達する場合について説明したが、これに限られない。温度調節操作伝達部５２は、温度調節操作部５０が受けた操作を湯水混合部３６に電気的に伝達してもよい。この場合、湯水混合部３６は、電磁弁など、電気的駆動弁を含んで構成されてもよい。第１吐出操作伝達部５６、第１流量調節操作伝達部６０、第２吐出操作伝達部６４、第２流量調節操作伝達部６８も同様に、第１吐出操作部５４、第１流量調節操作部５８、第２吐出操作部６２、第２流量調節操作部６６が受けた操作を、電気的に伝達するよう構成されてもよい。
【００４４】
（変形例２）
実施の形態では、水栓本体２８が操作装置３０の筐体７０内に収容される場合について説明したが、これに限られず、水栓本体２８は操作装置３０の筐体７０外に設けられてもよい。また、水栓本体２８と操作装置３０が一体となっていてもよい。
【００４５】
（変形例３）
実施の形態では、温度調節操作部５０が回転式の操作部である場合について説明したが、これに限られない。温度調節操作部５０は、筐体７０の側面７０ｃに設けられればよく、直線的にスライドさせるスライド式の操作部やその他の操作部であってもよい。
【００４６】
（変形例４）
実施の形態では、第１吐出操作部５４および第２吐出操作部６２が筐体７０の前面７０ｂに設けられる場合について説明したが、これに限られない。第１吐出操作部５４および第２吐出操作部６２の少なくとも一方は、筐体７０の上面７０ａに設けられてもよく、また上面７０ａから前面７０ｂにかけて設けられてもよい。
【００４７】
（変形例５）
実施の形態では、水栓装置１８が浴室ユニット１０に配置される場合について説明したが、これに限られない。水栓装置１８は、キッチン、洗面所、その他に設置されてもよい。これらの場合も、不意の動作により、意図せず温度調節操作部が操作されるのを抑止できる。
【００４８】
（変形例６）
実施の形態では、水栓装置１８は、２つの吐出口を備える場合について説明したが、これに限られない。水栓装置１８は、１つ、または、３つ以上の吐出口を備えてもよい。
【００４９】
上述した実施の形態および変形例の任意の組み合わせもまた本発明の実施の形態として有用である。組み合わせによって生じる新たな実施の形態は、組み合わされる実施の形態および変形例それぞれの効果をあわせもつ。また、請求項に記載の各構成要件が果たすべき機能は、実施の形態および変形例において示された各構成要素の単体もしくはそれらの連係によって実現されることも当業者には理解されるところである。例えば請求項に記載の操作装置本体は、実施の形態に記載の各伝達部と筐体７０との組み合わせにより実現されてもよい。
【符号の説明】
【００５０】
１０  浴室ユニット、  １２  浴槽、  １８  水栓装置、  ２８  水栓本体、  ３０  操作装置、  ５０  温度調節操作部、  ７０  筐体、  ７０ａ  上面、  ７０ｂ  前面、  ７０ｃ，７０ｄ  側面、  ７２  前端部、  ７４  後端部。
【図１】
0006761621.tif 000002
【図２】
0006761621.tif 000003
【図３】
0006761621.tif 000004
【図４】
0006761621.tif 000005
【図５】
0006761621.tif 000006